(57)【要約】【課題】隣接する大引き間への床断熱材の組付性を高め、しかも床の断熱性を向上可能な断熱材支持具及びそれを用いた床断熱構造を提供する。【解決手段】金属製大引き２上に根太を介在させることなく床下地パネル１３を敷設し、隣接する大引き２間において床下地パネル１３の下側に床断熱材１１を配置してなる床断熱構造１０で用いる断熱材支持具１２であって、低発泡倍率の発泡樹脂成形体からなり、大引き２の上面に沿って配置される上面部２０と、大引き２の両側面に沿って配置される１対の側面部２１と、上面部２０よりも一段低い位置において１対の側面部２０から側方へ突出し、大引き２間に配置される床断熱材１１の側部を下側から支持する支持部２２とを備えた。【選択図】        図１
2007217880.tif 000002
【特許請求の範囲】
【請求項１】
金属製大引き上に根太を介在させることなく床下地パネルを敷設し、隣接する大引き間において床下地パネルの下側に床断熱材を配置してなる床断熱構造で用いる断熱材支持具であって、
低発泡倍率の発泡樹脂成形体からなり、
前記大引きの上面に沿って配置される上面部と、
前記大引きの両側面に沿って配置される１対の側面部と、
前記上面部よりも一段低い位置において前記１対の側面部から側方へ突出し、大引き間に配置される床断熱材の側部を下側から支持する支持部と、
を備えたことを特徴とする断熱材支持具。
【請求項２】
前記側面部を支持具の全長にわたって設けた請求項１記載の断熱材支持具。
【請求項３】
前記支持部を支持具の長さ方向に間隔をあけて複数設けた請求項２記載の断熱材支持具。
【請求項４】
前記側面部及び支持部を支持具の長さ方向に間隔をあけて複数設けた請求項１記載の断熱材支持具。
【請求項５】
前記上面部を大引きの上面の幅と略同じ幅に設定し、前記両側面部をその厚さ分だけ上面部から側方へ突出させた請求項４記載の断熱材支持具。
【請求項６】
前記支持部の上面に突起を形成し、突起に対応する位置における床断熱材の弾性変形を利用して、床断熱材を床下地パネルに密接させる請求項１〜５のいずれか１項記載の断熱材支持具。
【請求項７】
金属製の大引きに請求項１〜６のいずれか１項記載の断熱材支持具を取り付け、この断熱材支持具の支持部上に床断熱材の側部を載置して、隣接する大引き間を閉塞するように床断熱材を敷設し、大引き及び床断熱材の上側に根太を介在させることなく床下地パネルを敷設したことを特徴とする床断熱構造。
【請求項８】
前記床断熱材の少なくとも一方の側部に、床断熱材の上面側または下面側から厚さ方向の途中部まで延びるスリットを全長にわたって形成し、該スリットを利用して床断熱材の側部を弾性変形させて床断熱材の側面を支持具の側面または大引きの側面に密接させた請求項７記載の床断熱構造。
【発明の詳細な説明】
【技術分野】
【０００１】
本発明は、木造建築物における床断熱構造の断熱材支持具及びそれを用いた床断熱構造に関する。
【背景技術】
【０００２】
木造建築物の床構造として、金属製大引き上に根太を介することなく合板製の床下地パネルを直接的に敷設してなる、所謂根太レス工法による床構造が、施工作業を簡略にでき、しかも室内空間を大きく設定できることから、最近注目されている。また、このような根太レス工法を用いた床断熱構造として、大引きと床下地パネル間における熱橋を防止するため、発泡倍率が２倍の発泡ポリスチレン製の細長い熱橋防止用断熱材を金属製大引き上に設置し、その上側に根太を介することなく床下地パネルを敷設するとともに、隣接する大引き間において床下地パネルの下側に床断熱材を敷設した床断熱構造が提案されている（例えば、特許文献１参照。）。
【０００３】
一方、床断熱材を根太間に敷設してなる従来の床断熱構造において、床断熱材を根太間に支持するための支持具として、根太の上面及び左右の側面に沿って配置される上面部及び１対の側面部と、両側面部の下端から左右両側へ突出する支持部とを有し、隣接配置される支持具の支持部上に床断熱材の両側部を載置して、根太間に床断熱材を支持可能となし、更に支持具上面部に床仕上げ材固定用の多数の窓穴を列設した合成樹脂製の支持具が提案されている（例えば、特許文献２参照。）。
【０００４】
また、根太間に床断熱材を固定支持するための他の構成の支持具として、金属板を略Ｚ字状に折曲してなり、根太の上面に沿って配置される上面部と、根太の一方の側面に沿って配置される側面部と、側面部から側方へ突出する支持部と、支持部の一部を切り起こしてなる食い込み部とを有し、隣接する根太に取り付けた支持具の支持部上に床断熱材を載置するとともに、食い込み部を床断熱材に食い込ませて、根太間に床断熱材を固定支持できるように構成した支持具が提案されている（例えば、特許文献３参照。）。
【０００５】
【特許文献１】特開２００６−２５４５号公報
【特許文献２】実用新案登録第２５８０８９１号公報
【特許文献３】特公昭５６−１９４２４号公報
【発明の開示】
【発明が解決しようとする課題】
【０００６】
特許文献１記載の床断熱構造のように、大引き間に床断熱材を配置させる場合には、根太間に床断熱材を配置させる場合とは異なり、床断熱材を下側から受け止める構造材が存在しないので、予め床下地パネルに対して床断熱材を釘打ち固定する必要がある。ところが、床断熱材の側面が大引きに密接するように、床下地パネルに対して床断熱材を精度良く固定することは、大引き間のスパンにどうしても施工誤差が発生してしまうことから至難であり、大引きと床断熱材間に隙間が形成されて、この隙間により断熱性能が低下するという問題がある。
【０００７】
一方、特許文献２記載の支持具では、床断熱材を床仕上げ材に対して略隙間なく配置できるので、床断熱構造の断熱性能を向上できるが、この特許文献２記載の支持具は、一般的な木造建築物の木製の根太間に床断熱材を施工するときに用いるものであり、金属製大引きを用いた根太レス工法への適用は想定されていない。さらに、この特許文献２の支持具の上面板部には、床仕上げ材固定用の多数の窓穴が列設されているため、その部分が熱橋を構成し、結露、断熱欠陥等の原因となり、到底使用できるものとはならない。さらに、根太レス工法においては、金属製大引き及び、支持具の上面板部と、床下地パネルとの密着度は出来るだけ高めることが重要であるが、特許文献２の支持具を金属製大引きのごとき大きなサイズの構造物上に用いたのでは、窓穴の存在により、支持具と床下地パネルとの望ましくない空間が生じてしまう。この空間は、音の反響等を引き起こす可能性を生じる。また、特許文献２記載の支持具では、根太自体が断熱性を有する木製であることから、支持具自体には必ずしも断熱性を付与する必要がない。このため、この支持具としては、基本的には、厚さ０．１〜２ｍｍ程度の塩化ビニルなどの樹脂材料を用いたものが採用されており、低発泡倍率の発泡成形体で支持具を構成できることも例示されてはいるが、このような厚みの低発泡倍率の発泡成形体からなる支持具を、根太レス工法における金属製大引き上に使用した場合には、断熱性能を得ることは到底できない。
【０００８】
また、根太レス工法においては、支持具及び床断熱材の成形精度によっては、床断熱材と床下地パネル間に隙間が形成されることもあるので、この隙間をなくして両者を確実に密接させるため、例えば床断熱材が根太から少しだけ上側へ突出するように床断熱材の厚さを設定し、床下地パネルを敷設固定した状態で、床断熱材が圧縮されて床下地パネルに密接するように構成することも可能であるが、特許文献２記載の支持具のように、支持具を合成樹脂材料で構成する場合には、床断熱材の圧縮反力が支持部の基部に作用して、支持具が破損することが懸念される。また、床断熱材の圧縮反力を小さくするため、床断熱材の両側部の下面に容易に圧縮可能な突起を形成することも可能であるが、このように構成すると、輸送や保管のため、床断熱材を積み重ねたときに、床断熱材が嵩張るとともに、振動や自重により小突起が破損するという問題もある。尚、特許文献３記載の支持具には、支持部から上方へ突出する食い込み部が形成されているが、この食い込み部は支持部を切り起こしにて形成した薄肉で鋭利なものであり、床断熱材の水平方向への移動を規制するためのものであって、床断熱材を床下地パネルに密着させるものではない。
【０００９】
本発明の目的は、隣接する大引き間への床断熱材の組付性を高め、しかも床の断熱性を向上可能な断熱材支持具及びそれを用いた床断熱構造を提供することである。
【課題を解決するための手段】
【００１０】
本発明者は、木造建築物における床断熱構造の施工方法として、根太レス工法の採用について鋭意検討した。その結果、床断熱材を大引きに支持するための支持具に要求される性能として、大引きに対して支持具を容易に組み付けることができること、隣接する大引き間に床断熱材を容易に施工できること、床下地パネルと大引き間及び床断熱材と大引き間における熱橋を遮断できること、床断熱材と床下地パネルとを無理なく密接できること、などの性能が要求されることに着目し、このような性能を満足するような低発泡倍率の発泡樹脂成形体を用いた支持具の構成について鋭意検討して、本発明を完成するに至った。
【００１１】
本発明に係る断熱材支持具は、金属製大引き上に根太を介在させることなく床下地パネルを敷設し、隣接する大引き間において床下地パネルの下側に床断熱材を配置してなる床断熱構造で用いる断熱材支持具であって、低発泡倍率の発泡樹脂成形体からなり、前記大引きの上面に沿って配置される上面部と、前記大引きの両側面に沿って配置される１対の側面部と、前記上面部よりも一段低い位置において前記１対の側面部から側方へ突出し、大引き間に配置される床断熱材の側部を下側から支持する支持部とを備えたものである。
【００１２】
この断熱材支持具を用いて、床断熱構造を施工する際には、先ず、支持具の側面部の遊端側を下側へ向けた状態で、大引きに対してその上側から支持具を装着することで、大引きに対して支持具を順次位置決めセットする。次に、隣接する大引きにセットした支持具の支持部に床断熱材の両側部を載置して、大引き間に床断熱材を隙間なく敷設施工する。次に、床断熱材を敷設施工した後、床断熱材及び支持具上に床下地パネルを、床鳴り防止のため隣接する床下地パネル間に５ｍｍ以下程度の隙間をあけて敷設し、床下地パネルを大引きにビス等で固定して、床下地パネルを大引き上に敷設固定する。次に、床下地パネル上に床仕上げ材を敷設し、釘等で床下地パネルに固定して、床断熱構造を施工することになる。
【００１３】
このように、この断熱材支持具では、大引きに対してその上側から支持具を嵌合装着できるので、大引きに対する組付性が良く、しかも支持具を大引きに対して容易に位置決めセットすることができる。また、大引きに対して支持具を位置決めセットした状態で、床断熱材を上側から隣接する支持具間に挿入して、床断熱材の両側部を支持部に載置することで、隣接する大引き間に床断熱材を容易に敷設施工することができる。更に、施工した床断熱構造には、金属製の大引きと床下地パネル間に、低発泡倍率の発泡樹脂成形体からなる支持具の上面部が配置されるので、金属製の大引きと床下地パネル間における熱橋を遮断して、床断熱構造の断熱性能を向上できる。また、夏場、湿気の多い床下で、室内冷房時の冷気によって、床下地パネルと金属製の大引き間で発生する、結露の問題を解決できる。尚、この明細書において、低発泡倍率の発泡樹脂成形体とは、高強度且つ木材以上の断熱性能が得られる、密度が７０ｋｇ／ｍ3〜３００ｋｇ／ｍ3の高密度の発泡樹脂成形体を意味する。
【００１４】
ここで、前記側面部を支持具の全長にわたって設けることができる。このように構成すると、床断熱材の側面を支持具の側面に密接させることによって、支持具と床断熱材間に隙間が形成されることを防止して、支持具と床断熱材間における断熱性を向上できる。しかも、床断熱材として外面に凹凸を有しない平坦な板状の汎用品を採用することができる。また、この発明において、前記支持部を支持具の長さ方向に間隔をあけて複数設けると、支持具を構成する樹脂材料を少なくできる。
【００１５】
前記側面部及び支持部を支持具の長さ方向に間隔をあけて複数設けることもできる。このように構成すると、支持具を構成する樹脂材料を一層少なくできる。また、この発明において、前記上面部を大引きの上面の幅と略同じ幅に設定し、前記両側面部をその厚さ分だけ上面部から側方へ突出させると、上面部を重ね合わせて支持具を複数積み重ねることができ、支持具の保管性や輸送性を向上できる。
【００１６】
前記支持部の上面に突起を形成し、突起に対応する位置における床断熱材の弾性変形を利用して、床断熱材を床下地パネルに密接させることも好ましい実施の形態である。この場合には、床断熱材における突起に対応する位置が弾性変形して、床断熱材を床下地パネルに密接させることができるので、支持部の基部に大きな荷重が作用することを防止しつつ、床断熱構造の断熱性能を向上できる。また、床断熱材側に突起を形成する場合と比較して、床断熱材として外面に凹凸を有しない平坦な板状の汎用品を採用することができ、しかも輸送時や保管時において、床断熱材が嵩高くなったり、床断熱材に形成した突起が破損したりするという不具合を防止できる。
【００１７】
本発明に係る床断熱構造は、金属製の大引きに本発明に係る断熱材支持具を取り付け、この断熱材支持具の支持部上に床断熱材の側部を載置して、隣接する大引き間を閉塞するように床断熱材を敷設し、大引き及び床断熱材の上側に根太を介在させることなく床下地パネルを敷設したものである。
【００１８】
ここで、前記床断熱材の少なくとも一方の側部に、床断熱材の上面側または下面側から厚さ方向の途中部まで延びるスリットを全長にわたって形成し、該スリットを利用して床断熱材の側部を弾性変形させて床断熱材の側面を支持具の側面または大引きの側面に密接させることが好ましい実施の形態である。このように構成すると、床断熱材と支持具間に隙間が形成されることを防止して、大引きの施工誤差によるスパンのくるいにも対応でき、床断熱構造の断熱性能を向上できる。
【発明の効果】
【００１９】
本発明に係る断熱材支持具及びそれを用いた床断熱構造によれば、大引きに対する支持具の組付性及び隣接する大引き間に対する床断熱材の組付性を向上できる。また、支持具を低発泡倍率の発泡樹脂成形体で構成することで、金属製の大引きと床下地パネル間における熱橋を支持具で遮断して、床断熱構造の断熱性能を向上できる。更に、夏場、湿気の多い床下で、室内冷房時の冷気によって、床下地パネルと金属製の大引き間で発生する、結露の問題を解決できる。
【００２０】
支持具として、側面部を支持具の全長にわたって設けたものを用いると、床断熱材の側面を支持具の側面に密接させることによって、床断熱構造の断熱性能の向上できる。しかも、床断熱材として外面に凹凸を有しない平坦な板状の汎用品を採用することもできる。また、この発明において、支持部を支持具の長さ方向に間隔をあけて複数設けると、支持具を構成する樹脂材料を少なくできる。
【００２１】
支持具として、側面部及び支持部を支持具の長さ方向に間隔をあけて複数設けたものを用いると、支持具を構成する樹脂材料を極力少なくできる。また、この発明において、上面部を大引きの上面の幅と略同じ幅に設定し、前記両側面部をその厚さ分だけ上面部から側方へ突出させると、上面部を重ね合わせて支持具を複数積み重ねることができるので、支持具の保管性や輸送性を向上できる。
【００２２】
支持部の上面に突起を形成し、突起に対応する位置における床断熱材の弾性変形を利用して、床断熱材を床下地パネルに密接させ、支持具における支持部の基部に大きな荷重が作用することを防止しつつ、床断熱構造の断熱性能を向上できる。そして、支持具上面部と床断熱材を面一にすることも容易であることから、床断熱材と床下地パネルとの密着性、及び、床下地パネルと支持具と金属製大引きの三者の密着性が大いに向上し、床鳴り等の問題の発生を著しく減少させることができる。また、床断熱材側に突起を形成する場合と比較して、床断熱材として外面に凹凸を有しない平坦な板状の汎用品を採用することができ、輸送時や保管時において、床断熱材が嵩高くなったり、床断熱材に形成した突起が破損したりするという不具合が起こりにくいボード状の床断熱材を選択できる。
【００２３】
また、本発明に係る床断熱構造において、床断熱材の少なくとも一方の側部に、床断熱材の上面側または下面側から厚さ方向の途中部まで延びるスリットを全長にわたって形成し、該スリットを利用して床断熱材の側部を弾性変形させて床断熱材の側面を支持具の側面または大引きの側面に密接させると、床断熱材と支持具間に隙間が形成されることを防止して、床断熱構造の断熱性能を向上できる。
【発明を実施するための最良の形態】
【００２４】
以下、本発明の実施の形態について図面を参照しながら説明する。
図１、図２は、木造建築物の１階部分における床組１の要部の縦断面図である。この床組１において、大引き２は、例えば厚さ０．６ｍｍ〜２．０ｍｍの鋼板やアルミ板などの金属板を断面方形状に成形した中空の閉断面状の角筒部材で構成され、土間クンクリート３の上方に相互に一定の間隔をあけて略水平に配置されるとともに、大引き２の長さ方向の途中部は、土間コンクリート３上に設定間隔置きに載置された鋼製の束４で高さ調整可能に支持されている。但し、鋼製の束４に代えて、木製の束を用いることもできる。また、本実施の形態では、束立て床組１に本発明を適用した場合について説明するが、金属製の大引き２を有する床組であれば、ころばし床組、梁床組、複床組など、任意の構成の床組に対しても本発明を適用することができる。
【００２５】
この束立て床組１の床断熱構造１０は、根太レス工法により施工されたもので、間隔をあけて配置された複数の金属製の大引き２と、隣接する大引き２間を閉塞するように略水平に敷設配置される床断熱材１１と、大引き２にその全長にわって取り付けられ、大引き２に対して床断熱材１１を支持する支持具１２と、大引き２及び床断熱材１１の上側に根太を介在させることなく敷設される床下地パネル１３と、床下地パネル１３の上側に敷設固定される木質系フローリング材などからなる床仕上げ材１４とを備えている。
【００２６】
床下地パネル１３としては、根太を省略することによる床の強度剛性の低下を補償し得る強度剛性を有するものであれば、例えば厚さ２０ｍｍ〜３０ｍｍのパーティクルボードなどの木質系や合成樹脂系など、任意の構成のものを採用できる。本実施の形態では、厚さ２５ｍｍの合板を採用し、床の強度剛性が十分に得られるように構成している。
【００２７】
支持具１２は、低発泡倍率の発泡樹脂成形体で構成され、図１〜図４に示すように、大引き２の上面に沿ってその全長にわたって配置される上面部２０と、上面部２０の両側端部から下方へ延び、大引き２の両側面に沿って配置される１対の側面部２１と、上面部２０よりも一段低い位置において側面部２１から側方へ突出状に設けられ、大引き２間に配置される床断熱材１１の側部を下側から支持する支持部２２とを備えている。
【００２８】
支持具１２は、ポリプロピレンなどのポリオレフィン系樹脂材料からなる発泡成形体で構成することもできるが、断熱性や強度剛性に優れ、コストパフォーマンスに優れていることから、押出し発泡成形や金型を用いた型内発泡成形などにより成形した、発泡ポリスチレン系樹脂成形体で構成したものを好適に利用できる。支持具１２を構成する発泡体の発泡体密度は、床断熱材１１と床下地パネル１３間における熱橋を効果的に遮断でき、しかも床断熱材１１の支持具としての性能を満足する強度剛性を得るため、５０ｋｇ／ｍ3〜４００ｋｇ／ｍ3、好ましくは７０ｋｇ／ｍ3〜３００ｋｇ／ｍ3に設定されている。本実施の形態では、支持具１２を発泡体密度１００ｋｇ／ｍ3の発泡ポリスチレン系樹脂成形体で構成した。
【００２９】
支持具１２の各部の厚さは、一様に設定することも可能であるが、異なる厚さに設定することも可能である。支持具１２の上面部２０は、室内空間を極力広くしつつ、大引き２と床下地パネル１３間における熱橋を遮断するため、５ｍｍ以上、２５ｍｍ以下に設定することが好ましい。また、支持部２２及び側面部２１の厚さは、床断熱材１１の自重を支持可能な強度剛性を有しいていれば任意の厚さに設定できる。
【００３０】
側面部２１は支持具１２の全長にわたって設けられ、両側面部２１の間隔は、支持具１２を略隙間なく大引き２に外装できるように、大引き２の幅と略同じに設定されている。
【００３１】
支持部２２は、側面部２１の下端部にその全長にわたって連続的に設けられている。支持部２２の側方への突出長さは、任意に設定できるが、大きすぎると支持部２２の基部に作用する曲げモーメントが大きくなり、また小さすぎると床断熱材１１を十分に支持できないことから、７ｍｍ〜５０ｍｍに設定することになる。また、支持部２２の基部の強度剛性を高めるため、図８に示すように、支持部２２の基部にアール２７を形成したり、支持部２２の厚さを側面部２１よりも厚肉に構成したり、側面部２１に支持部２２よりも下側へ延びる延長部を形成し、この延長部と支持部２２間にリブを形成したりすることも好ましい実施の形態である。
【００３２】
図１〜図６に示すように、支持部２２の基部に対する荷重を極力小さくしつつ、床断熱材１１を床下地パネル１３に確実に密接させるため、支持部２２の上面には上方へ突出する平面視略小判形の複数の突起２３が形成されている。また、突起２３の高さＨ１と、側面部２１の上端部と支持部２２の上面間における側面部２１の高さＨ２と、床断熱材１１の厚さＴ１とは、図２に示すように、突起２３に対して床断熱材１１を載置した状態で、床断熱材１１の上面が支持具１２の上面部２０の上面よりも高さｈだけ高い位置に配置され、図１に示すように、突起２３に床断熱材１１をめり込ませて、床断熱材１１の上面と支持具１２の上面部２０の上面とが面一になった状態で、床断熱材１１の下面と支持部２２の上面間に隙間αが形成されるように設定されている。具体的には、突起２３の高さＨ１は２ｍｍ〜１０ｍｍに設定され、側面部２１の高さＨ１と床断熱材１１の厚さＴ１とは任意に設定可能であるが、両者の差（Ｈ１−Ｔ１）としての隙間αが０ｍｍ〜８ｍｍとなり、高さｈが、ｈ＝Ｈ１−αとなるように設定されている。また、突起２３の個数及び突起２３の上面の面積は、突起２３上に床断熱材１１を載置しただけ、即ち床断熱材１１の自重だけでは、突起２３に対して床断熱材１１がほとんどめり込まず、床断熱材１１上に床下地パネル１３を載置して、床断熱材１１と床下地パネル１３の自重が作用すると、突起２３に対して床断熱材１１がめり込むような個数及び面積に設定されている。
【００３３】
そして、このように構成することで、図２に示すように、床断熱材１１を隣接する大引き２間に敷設配置するため、床断熱材１１の両側部を突起２３に載置したときに、床断熱材１１の上面は、支持具１２の上面部２０よりも上方へ突出した状態となり、図１に示すように、床断熱材１１上に床下地パネル１３を敷設配置したときに、床下地パネル１３の自重により床断熱材１１が下側へ押圧され、床下地パネル１３の下面が支持具１２の上面部２０に当接するまで、床下地パネル１３と床断熱材１１の自重により床断熱材１１が突起２３にめり込み、床断熱材１１の上面と支持具１２の上面部２０の上面とが面一になった状態で、床断熱材１１の上面が床下地パネル１３の下面に確実に密接するように構成されている。尚、突起２３の平面形状は、小判形以外に、円形や楕円形、長方形や正方形などの形状に設定することもできる。
【００３４】
床断熱材１１は、ポリスチレン系樹脂発泡体、ポリプロピレン系樹脂発泡体、ポリエチレン系樹脂発泡体、ポリウレタン系発泡体、フェノール系樹脂発泡体などからなる、平板状の発泡体で構成されている。特に、押出し発泡成形や金型を用いた型内発泡成形などにより成形した、ポリスチレン系樹脂からなる発泡体は、断熱性や強度剛性、更にはコストパフォーマンスに優れていることから好適である。
【００３５】
床断熱材１１を構成する発泡樹脂体の密度は、床断熱構造１０の断熱性能を十分に確保するため、１０ｋｇ／ｍ3〜４０ｋｇ／ｍ3、好ましくは１２ｋｇ／ｍ3〜３５ｋｇ／ｍ3に設定されている。床断熱材１１の厚さは、室内空間を極力広くしつつ、断熱性能を十分に確保するため、５ｍｍ以上、２５ｍｍ以下に設定されている。床断熱材１１の縦横の長さは、隣接配置される大引き２間に適合する長さに設定され、大引き２間に床断熱材１１を略隙間なく敷設配置できるように構成されている。
【００３６】
図１、図２に示すように、隣接する大引き２間に対する床断熱材１１の装填性を確保するため、床断熱材１１の側部の下端部にはテーパ面２５が形成されている。また、床断熱材１１の側部には、上面側から厚さ方向の途中部まで延びるスリット２６が形成され、このスリット２６により床断熱材１１の側部の圧縮変形を促進して、隣接する大引き２間へ床断熱材１１を装填した状態で、床断熱材１１の側面が支持具１２の側面部２１に密接して、床断熱材１１と支持具１２間における隙間の発生を防止し、床断熱構造１０の断熱性能を向上できるように構成されている。但し、支持具１２間にテーパー面２５は、図７に示すように省略することもできる。また、スリット２６は、床断熱材１１の下面側から厚さ方向の途中部まで延びるように形成することもできるし、図７に示すように、上面側から厚さ方向の途中部まで延びるスリット２６と、下面側から厚さ方向の途中部まで延びるスリット２６を組み合わせて形成することも可能である。また、このようなスリット２６は、断熱性能を向上させる上で設けることが好ましいが、スリット２６を省略した床断熱構造１０も本発明の範疇である。更に、スリット２６を設ける場合には、図７に示すように、支持具１２の支持部２２をスリット２６よりも側方へ延ばし、床断熱材１１上に比較的大きな荷重が作用しても、スリット２６において床断熱材１１が破損しないように構成することが好ましい。更にまた、スリット２６の幅や深さについても、床断熱材１１上に作用する荷重を考慮して、適宜に設定することが好ましい。
【００３７】
床断熱構造１０の施工方法について説明すると、先ず金属製の大引き２に対してその上側から支持具１２を外嵌状に取り付け、隣接する大引き２の支持具１２における支持部２２上に、床断熱材１１の両側部をそれぞれ載置する。このとき、図２に示すように、床断熱材１１は支持部２２の突起２３上に載置され、床断熱材１１の上面は、支持具１２の上面部２０よりも少し高い位置に配置される。
【００３８】
次に、図１に示すように、床断熱材１１上に床下地パネル１３を載置し、床下地パネル１３の自重により、床断熱材１１を下側へ押圧して、支持部２２の突起２３に対して床断熱材１１をめり込ませ、床断熱材１１をその上面が支持具１２の上面部２０の上面と面一なるように支持するとともに、床下地パネル１３の下面を床断熱材１１の上面を密接させる。
【００３９】
次に、床下地パネル１３をビス１５で大引き２に固定し、床下地パネル１３の上側に床仕上げ材１４を釘等で固定して、床断熱構造１０を施工することになる。
【００４０】
このように、この床断熱構造１０では、金属製の大引き２と床下地パネル１３間に低発泡倍率の発泡樹脂成形体からなる支持具１２の上面部２０が配置されるので、両者間における熱橋を支持具１２で遮断して、床断熱構造１０の断熱性能を向上できる。また、支持具１２の側面部２１に床断熱材１１が密接されるので、支持部２２と床断熱材１１間に隙間が形成されることによる断熱性能の低下を防止できる。更に、支持具１２に突起２３を形成するという簡単な構成で、支持部２２の基部に大きな曲げ荷重を作用させることなく、床断熱材１１と床下地パネル１３とを略隙間なく密接させることができ、床断熱構造１０の断熱性能を向上できる。
【００４１】
ここで、前記支持具１２または床断熱構造１０の構成の部分的に変更した他の実施の形態について説明する。尚、前記実施の形態と同一部材には同一符号を付してその詳細な説明を省略する。
【００４２】
（１）図７に示す床断熱構造１０Ａのように、突起２３を省略した支持具１２Ａを用いることも可能である。この場合には、床下地パネル１３の下面に床断熱材１１の上面を密接させるため、支持具１２の側面部２１の高さＨ２と床断熱材１１の厚さＴ１とは略同じに設定することになる。
【００４３】
（２）図８に示す床断熱構造１０Ｂのように、外面に長さ方向に延びる溝部３０を形成した大引き２Ｂを用いる場合には、支持具１２Ｂのように、上面部２０の下面に、大引き２の上面の溝部３０に嵌合する突条３１を形成したものを用いることが、床の荷重を、支持具１２Ｂにより、大引き２Ｂに対して効率的に伝えることができて床の剛性が向上し、床下地パネル１３と大引き２Ｂ間における熱橋を極力遮断する上で好ましい。
【００４４】
（３）図９に示す支持具１２Ｃのように、支持部２２Ｃを側面部２１の長さ方向に間隔をあけて複数設けることもできる。支持部２２Ｃの長さ及び個数は任意に設定できるが、支持具１２Ｃを構成する樹脂材料を極力少なくするためには、支持部２２Ｃの個数を長さ９１０ｍｍに対し、床断熱材安定して設置可能な２個〜５個に設定し、その長さＷ１を１０ｍｍ以上に設定することになる。
【００４５】
（４）図１０に示す支持具１２Ｄのように、側面部２１Ｄ及び支持部２２Ｄを支持具１２Ｄの長さ方向に間隔をあけて複数設けることもできる。側面部２１Ｄ及び支持部２２Ｄの長さ及び個数は任意に設定できるが、支持具１２Ｄを構成する樹脂材料を極力少なくするためには、個数を２個〜５個に設定し、長さＷ２を１０ｍｍ〜１００ｍｍに設定することになる。
（５）図１１（ａ）に示す支持具１２Ｅのように、側面部２１Ｅ及び支持部２２Ｅを支持具１２Ｅの長さ方向に間隔をあけて複数設け、上面部２０Ｅを大引き２の上面の幅と略同じ幅に設定し、両側面部２１Ｅをその厚さ分だけ上面部２０Ｅから側方へ突出配置させることも可能である。この場合には、図１１（ｂ）に示すように、上面部２０Ｅを重ね合わせて複数の支持具１２Ｅを積み重ねることが可能となり、支持具１２Ｅの輸送性や保管性を向上できる。
【図面の簡単な説明】
【００４６】
【図１】束立て床組及び床断熱構造の縦断面図
【図２】束立て床組及び床断熱構造の説明図
【図３】断熱材支持具の斜視図
【図４】断熱材支持具の平面図
【図５】突起付近の要部平面図
【図６】突起付近の要部斜視図
【図７】他の構成の床断熱構造の縦断面図
【図８】他の構成の床断熱構造の縦断面図
【図９】他の構成の断熱材支持具の斜視図
【図１０】他の構成の断熱材支持具の斜視図
【図１１】他の構成の断熱材支持具の（ａ）は斜視図、（ｂ）は積み重ね状態の斜視図
【符号の説明】
【００４７】
１      床組              ２      大引き
３      土間コンクリート  ４      束
１０    床断熱構造        １１    床断熱材
１２    支持具            １３    床下地パネル
１４    床仕上げ材        １５    ビス
２０    上面部            ２１    側面部
２２    支持部            ２３    突起
２５    テーパー面        ２６    スリット
１０Ａ  床断熱構造        １２Ａ  支持具
２Ｂ    大引き            １０Ｂ  床断熱構造
１２Ｂ  支持具            ３０    溝部
３１    突条
１２Ｃ  支持具            ２２Ｃ  支持部
１２Ｄ  支持具            ２１Ｄ  側壁部
２２Ｄ  支持部
１２Ｅ  支持具
【図１】
2007217880.tif 000003
【図２】
2007217880.tif 000004
【図３】
2007217880.tif 000005
【図４】
2007217880.tif 000006
【図５】
2007217880.tif 000007
【図６】
2007217880.tif 000008
【図７】
2007217880.tif 000009
【図８】
2007217880.tif 000010
【図９】
2007217880.tif 000011
【図１０】
2007217880.tif 000012
【図１１】
2007217880.tif 000013